(57)【要約】【課題】  今までは、衣類の洗濯・脱水後の乾燥は温風により衣類が回転し乾燥する装置が多く、乾燥後はしわが衣類に発生してアイロンがけが必要であった。洗濯・脱水した衣服は水分を含んだ状態で衣紋掛けにつるしておくとしわの少ない状態になり、そのまま着ることも繊維の種類によっては可能になる。この考案の温風乾燥装置は洗濯・脱水後は衣紋掛けに吊したまま乾燥ができ、乾燥後は衣類を着る時までそのまま吊して使える。本考案は洗濯・脱水後の衣類がしわになりにくい乾燥を容易にできる装置を提供することである。【解決手段】  この考案は、一般家庭で使用しているスタンド型の洋服掛けに、この温風乾燥装置を装着することができ、洗濯・脱水した衣服を吊したまま乾燥する機能を具備することを特徴とする温風乾燥装置。【選択図】図１
0003102638.tif 000002
【実用新案登録請求の範囲】
【請求項１】
一般家庭にあるスタンド型の洋服掛けに装着できる温風装置で、洗濯・脱水をした衣類を屋内で衣紋かけに吊したままで乾燥することによりしわになりにくいことを特徴とする温風乾燥装置。
【考案の詳細な説明】
【技術分野】
【０００１】  この考案は、一般家庭にあるスタンド型の洋服掛けに装着できる温風乾燥装置で、洗濯・脱水をした衣類を屋内で衣紋かけに吊したままで乾燥することによりしわになりにくいことを特徴とする温風乾燥装置。
【背景技術】
【０００２】  従来の衣類の温風乾燥装置は箱装置の中で衣類を温風により回転させて乾燥する方式が多かった。この方式では衣類が回転することでしわになり、衣類の種類や繊維の種類に注意をはらう必要があり、大きな電気料を必要としている。
【考案の開示】
【考案が解決しようとする課題】
【０００３】  しかしながら、以上の技術によれば、衣類の種類や繊維の種類を限定する必要があり、衣類にしわが発生するので、乾燥後にアイロンがけが必要であった。  そこで、この考案は一般家庭にあるスタンド型の洋服掛けに装着できる温風乾燥装置で、洗濯・脱水をした衣類を屋内で衣紋かけに吊したままで乾燥することによりしわになりにくいことを特徴とする温風乾燥装置を提供することを課題としている。
【課題を解決するための手段】
【０００４】  以上の課題を解決するために、一般家庭にあるスタンド型の洋服掛け図１に装着できる小型の装置であることが必要である。装置の本体カバー１は衣類に温風が全体に行きわたるようにするため、湾曲した傘型形状をしている。温風は湾曲形状に沿ってヒーターの部分を通り、下部にある衣類に向けて送風する。本体カバー１の内部には送風ファン２があり、本体カバー１の側面から見た湾曲に沿って風が流れる。湾曲に沿って流れる風は、風の通り道にあるヒーター３の間を通り温風になる。その温風は本体下部にある送風穴４から衣類がつり下げてある下方向に向けて衣類に送風する。この温風乾燥装置はスタンド型の洋服掛けの真上に装着する。装着はこの装置の左右下部にある接続金具５に上部よりはめ込み、固定用蝶ネジ６で締め付けて固定する。この装置は家庭にあるスタンド型の洋服掛けに装着が可能で、電源スイッチ７を入れると送風穴から洗濯・脱水し、衣紋掛けに吊した衣類に温風があたり、衣類が吊したそのままの形状で乾燥することを特徴とした温風乾燥装置である。
【考案の効果】
【０００５】  この考案によれば、この装置は家庭にあるスタンド型の洋服掛けに装着が可能で、洗濯・脱水した衣類を吊した状態でしわになりにくく乾燥することを容易にした。
【考案を実施するための最良の形態】
【実施例】
【０００６】  この考案の一実施形態を、図２に示す。  この装置は家庭にあるスタンド型の洋服掛けに装着するが、スタンド型の洋服掛けは本装置を上に装着しても十分に強固な状態であることが必要である。スタンド型の洋服掛けが強固でない場合は専用のスタンド型の洋服掛けを作ってもよい。送風とヒーターはタイマー７を組み込んで時間を設定することが望ましい。
【実施形態の効果】
【０００７】  この考案により、現在所持しているスタンド型の洋服掛けに装着することが可能になり、洗濯・脱水した衣服を衣紋掛けに吊したまま乾燥ができ、乾いた衣服はそのままこのスタンド型の洋服掛けに吊しておける。この洗濯後の衣類はしわが少なく、アイロン掛けをしないで着ることができる衣類の乾燥が容易になる。
【他の実施形態】
【０００８】  図１の実施形態では、温風は上部からであるが、この温風乾燥装置を下に置くことも可能で、下からの送風も洗濯・脱水した衣類の乾燥に効果がある。また、厚手の衣類は洗濯・脱水後に水が垂れることが有るので、衣類の下に受け皿８を設置することも良い。
【産業上の利用可能性】
【０００９】  この考案により、過剰な電気の使用がなくなり、省エネに貢献が期待できる。【００１０】  この考案により、スタンド型の洋服掛けに吊したまま衣類を乾燥する手法は、老人や身体障害者などアイロンがけが大変な人には効果的で、洗濯後の作業が容易になり、老人施設や介護施設への普及が期待できる。
【図面の簡単な説明】
【００１１】
【図１】この考案の一実施形態を示す斜視図である。
【図２】この考案の一実施形態を示す構造図である。
【図３】上記記載の一般家庭にあるスタンド型の洋服掛けである。
【符号の説明】
【００１２】１    本体カバー２    送風ファン３    ヒーター４    送風穴５    接続金具６    固定用蝶ネジ７    電源スイッチ８    タイマー９    受け皿１０  スタンド型の洋服掛け
【図１】
0003102638.tif 000003
【図２】
0003102638.tif 000004
【図３】
0003102638.tif 000005
【手続補正書】
【提出日】平成16年1月30日(2004.1.30)
【手続補正１】
【補正対象書類名】実用新案登録請求の範囲
【補正対象項目名】全文
【補正方法】変更
【補正の内容】
【実用新案登録請求の範囲】
【請求項１】
洗濯、脱水した衣類を乾燥するために、送風用のファンと、送風流路内の空気を加熱するヒーターと、加熱後の空気を放出する温風噴出口とを備えた温風乾燥装置であって、放出する温風を一定方向に噴出させるための湾曲した本体カバーと、温風乾燥装置を取り付けるための装着金具と、固定用ネジを具備したことを特徴とする温風乾燥装置。
【手続補正２】
【補正対象書類名】明細書
【補正対象項目名】全文
【補正方法】変更
【補正の内容】
【考案の詳細な説明】
【技術分野】
【０００１】  この考案は、洋服掛けに装着できる温風乾燥装置で、洗濯・脱水をした衣類を屋内で衣紋かけに吊したままで乾燥することを特徴とする温風乾燥装置。
上記の洋服掛けとは、図５に示す。この洋服掛けは上部に衣紋掛けを吊すことのできる横棒があり、その横棒を固定する縦棒が左右にあり、左右の縦棒を固定する脚が下部にある洋服掛けである。
【背景技術】
【０００２】  従来の衣類の温風乾燥装置は箱装置の中で衣類を温風により回転させて乾燥する方式が多かった。この方式では衣類が回転することでしわになり、衣類の種類や繊維の種類に注意をはらう必要があり、大きな電気料を必要としている。
【考案の開示】
【考案が解決しようとする課題】
【０００３】  しかしながら、以上の技術によれば、衣類の種類や繊維の種類を限定する必要があり、衣類にしわが発生するので、乾燥後にアイロンがけが必要であった。
そこで、この考案は図５に示す形状の洋服掛けに装着できる温風乾燥装置で、洗濯・脱水をした衣類を屋内で衣紋掛けに吊したままで乾燥することによりしわになりにくいことを特徴とする温風乾燥装置を提供することを課題としている。
【課題を解決するための手段】
【０００４】  以上の課題を解決するために、図５に示す形状の洋服掛けに装着できる小型の装置であることが必要である。装置の本体カバー１は衣類に温風が全体に行きわたるようにするため、湾曲した傘型形状をしている。温風は湾曲形状に沿ってヒーター３の部分を通り、下部にある衣類に向けて送風する。本体カバー１の内部には送風ファン２があり、本体カバー１の湾曲に沿って風が流れる。湾曲に沿って流れる風は、風の通り道にあるヒーター３の間を通り温風になる。その温風は本体下部にある送風穴４から衣類がつり下げてある下方向に向けて衣類に送風する。この温風乾燥装置は図５に示す形状の洋服掛けの上方向に装着する。装着はこの装置の左右下部にある装着金具５を上部よりはめ込み、固定用ネジ６で締め付けて固定する。電源スイッチ７を入れると送風穴から洗濯・脱水し、衣紋掛けに吊した衣類に温風があたり、衣類が吊したままの形状で乾燥することを特徴とした温風乾燥装置である。
なお、送風の方向は図３に示す。
また、この装置の動作は電源スイッチ７をいれることによりヒーター３と送風ファンが動作し、温風を吹き出す。動作の停止は電源スイッチ７を切るほかに、タイマー８によっても動作が停止する。
【考案の効果】
【０００５】  この考案によれば、この装置は図３に示す形状の洋服掛けに装着が可能で、洗濯・脱水した衣類を吊した状態でしわになりにくく乾燥することを容易にした。
【考案を実施するための最良の形態】
【０００６】
【実施例】  この考案の一実施形態を、図４に示す。
この装置は図５に示す形状の洋服掛けに装着する。送風ファン２とヒーター３の動作はタイマー７を組み込んで時間を設定することが望ましい。
【実施形態の効果】
【０００７】  この考案により、弱温風が吹き出すこの温風乾燥装置を図５に示す形状の洋服掛けに装着することで、洗濯・脱水した衣服を衣紋掛けに吊したまま乾燥ができ、乾いた衣服は、この洋服掛けに吊しておける。乾燥した衣類はしわが少なく、アイロン掛けをしないで着ることができることが容易になる。
【他の実施形態】
【０００８】  図１の実施形態では、温風は上部からであるが、この温風乾燥装置を下に置くことも可能で、下からの送風も洗濯・脱水した衣類の乾燥に効果がある。また、厚手の衣類は洗濯・脱水後に水が垂れることが有るので、衣類の下に受け皿９を設置することも良い。
【産業上の利用可能性】
【０００９】  この考案により、洗濯・脱水した衣類をしわの少ない状態で乾燥するための乾燥装置の発展が期待できる。【００１０】  この考案により、図３に示す形状の洋服掛けに吊したまま衣類を乾燥する手法は、老人や身体障害者などアイロンがけが大変な人には効果的で、洗濯後の作業が容易になり、老人施設や介護施設への普及が期待できる。
【図面の簡単な説明】
【００１１】
【図１】この考案の一形態を示す外観斜視図である。
【図２】本考案の温風乾燥機の内部構造を示す上部視野図「一部断面図」
【図３】本考案の温風乾燥機の内部構造を示す側面断面図
【図４】この考案の一実施形態を示す斜視図である。
【図５】上記記載の洋服掛けである。
【符号の説明】
【００１２】      １    本体カバー
２    送風ファン
３    ヒーター
４    送風穴
５    装着金具
６    固定用ネジ
７    電源スイッチ
８    タイマー
９    受け皿
１０  洋服掛け
【手続補正３】
【補正対象書類名】図面
【補正対象項目名】全図
【補正方法】変更
【補正の内容】
【図１】
0003102638.tif 000006
【図２】
0003102638.tif 000007
【図３】
0003102638.tif 000008
【図４】
0003102638.tif 000009
【図５】
0003102638.tif 000010